Podtech/llm-jp-corpus-v4-ja_patent huggingface dataset:
(57)【要約】【課題】  従来のカード収納具は、袋状の収納部の開口部に、切り欠きが設けられておらず、切り欠き部が設けられていても、収納部の内壁がカードと、または収納部同士が密着し、カードの挿入及び抜き取りが困難であった。  また、収納する枚数も１枚のため複数枚収納することができなかった。【解決手段】  袋状の収納部と仕切り板からなるカードケースであり、前記収納部の内壁に突起部を設けたカードケース。【選択図】図１
2011235054.tif 000002
【特許請求の範囲】
【請求項１】
袋状の収納部と仕切り板からなるカードケースであり、前記収納部の内壁に突起部が設けられていることを特徴とする凸付きカードケース。
【発明の詳細な説明】
【技術分野】
【０００１】  本発明は様々なカードや名刺を収納し、収納および取り出しをスムーズに行うことができることを特徴とした凸付きカードケースに関するものである。
【背景技術】
【０００２】  従来、カードを収納するため、カード入れが複数設けられているものはあった。
また、テレホンカードや銀行カード等各種のカードを複数携帯できるカード入れであって、見やすく、とりやすく、すばやくカードを探すことができる扇状に広がるカード入れの発明が知られている（特許文献１）。
【先行技術文献】
【特許文献１】
【０００３】  特開２００２−３６２０７９号公報
【発明の概要】
【発明が解決しようとする課題】
【０００４】  しかし、これらは袋状の収納部の開口部に、切り欠きが設けられておらず、切り欠き部が設けられていても、収納部の内壁がカード、または収納部同士が密着し、カードの挿入及び抜き取りが困難であった。
また、収納する枚数も１枚のため複数枚収納することができなかった。
本発明はこの課題を解消するためになされたものである。
【課題を解決するための手段】
【０００５】  袋状の収納部と仕切り板からなるカードケースであり、前記収納部の内壁に突起部が設けられている。
以上を特徴とする凸付きカードケースである。
【発明の効果】
【０００６】  本発明は、切り欠き部を設け、収納部内壁に突起部を設けたことで隙間ができ挿入、抜き取りが容易となる。また、仕切り板を設けたことで複数のカードが収納できる。
【図面の簡単な説明】
【０００７】
【図１】  本発明の正面図
【図２】  本発明の使用状態を示した断面図
【図３】  本発明を複数用いた実施例
【図４】  カード抜き取り時を示す斜視図
【発明を実施するための形態】
【０００８】  以下、本発明の実施の形態について説明する。
袋状の収納部と仕切り板からなるカードケースであり、前記収納部の内壁に突起部が設けられている。袋状の収納部は角部に切り欠き部を設け、仕切り板は収納部よりも表に、切り欠き部ａよりも上方に突出することを特徴とする。
【０００９】  また、仕切り板に収納部と同じ方向に傾斜した切り欠き部ｂを設けても良い。このとき仕切り板は収納部よりも突出していることが特徴である。突起部は収納部の内壁の幅方向のほぼ中央、切り欠き部ａの近傍に設ける。収納部側に取り付けるまたは、仕切り板側に取り付けても良い。仕切り板側に取り付ける場合は、収納部に設けた切り欠き部ａよりも上方に飛び出さないようにすることが重要である。
【００１０】  図３に示すとおり、本案のカード収納具を複数用いて、ホルダーケースを用いて使用することもできる。
【００１１】  本発明は以上な構成である。
カードを収納するときは図４に示すとおり、カード角端を軽く撮み、突起部により開けられた隙間よりカードを挿入し、底まで挿入する。抜き取るときは、従来通りカード角端を持ち、抜き取る。切り欠き部ａと突起部が設けられているため、従来のカード収納具よりも取り出すことが容易となる。
【符号の説明】
【００１２】１  収納部
２  仕切り板
３  突起部
４  切り欠き部ａ
５  切り欠き部ｂ
【図１】
2011235054.tif 000003
【図２】
2011235054.tif 000004
【図３】
2011235054.tif 000005
【図４】
2011235054.tif 000006
(57)【要約】【課題】熱燗やホットコーヒーを最後まで冷まさなく飲める一人用ホットプレートを提供する。【解決手段】ホットプレートに熱風吹き出し穴を設けて熱風を吹き出し熱燗やホットコーヒーの温度を下げない一人用ホットプレート。【選択図】図１
2011235055.tif 000002
【特許請求の範囲】
【発明の詳細な説明】
【技術分野】
【０００１】本発明は、熱燗やホットコーヒーなどに熱風をかけることによりさめさせない一人用熱風ホットプレートに関するものである。
【背景技術】
【０００２】従来、熱燗やホットコーヒーなどを温めるものは無かった
【発明の開示】
【発明が解決しようとする課題】
【０００３】そのために、次のような問題点があった。
（イ）熱燗やホットコーヒーなどは飲んでいるうちに温度が下がり途中でさめてしまうことがあった。
本発明は以上の問題点を解決しようとするものである。
【課題を解決するための手段】
【０００４】熱燗やホットコーヒーなどに熱風を吹きかけて温度を下げない一人用熱風ホットプレートである。
【発明の効果】
【０００５】本発明は、熱燗やホットコーヒーなどを熱風で温める為飲んでいる途中でさめることが無い。
【発明を実施するための最良の形態】
【０００６】以下、本発明の実施の形態を説明する。
（イ）ホットプレート（１）に、ニクロム線（２）を設ける。
（ロ）スイッチ（６）を入れ送風モーター（５）を回し吸気口（４）から空気を送りニクロム線（２）で暖め吹き出し穴（３）から熱風を吹き出させる
本発明は、以上の構成よりなっている。
ホットプレート（１）に熱燗やホットコーヒーを乗せスイッチを入れ吹き出し穴から熱風を吹き出させる。
【図面の簡単な説明】
【０００７】
【図１】本発明の斜視図
【符号の説明】１  ホットプレート本体
２  ニクロム線
３  吹き出し穴
４  吸気口
５  送風モーター
６  スイッチ
【図１】
2011235055.tif 000003
【手続補正書】
【提出日】平成22年7月9日(2010.7.9)
【手続補正１】
【補正対象書類名】特許請求の範囲
【補正対象項目名】全文
【補正方法】追加
【補正の内容】
【特許請求の範囲】
【請求項１】
熱風を吹き出すことを特徴とする、ホットコーヒーや熱燗などをさまさなくする小型のホットプレート。
(57)【要約】【課題】給油時やヘルメットの着脱時、有料道路の料金所での料金支払い時など、一時的にグローブなどを取り外した際に、置いておく場所に困っていたが、素早く容易にガソリンタンク上などに固定しておけるグローブ固定用具を提供する。【解決手段】ゴムコード１の収縮を利用し荷物を挟み込むように固定できるようにした。ゴムコード１は、両端に吸盤５又は磁石６を付けたフラップ２によってガソリンタンクなどに固定するようにした。【選択図】図１
2011235867.tif 000002
【特許請求の範囲】
【請求項１】
吸盤又は磁石を装着したフラップにコードストッパーにて長さ調整可能にしたゴムコードを通したもので、フラップに装着された吸盤又は磁石にて自動二輪車のガソリンタンクなどへ固定し、ゴムコード部分にて、グローブなどの荷物を固定するための商品。
【発明の詳細な説明】
【技術分野】
【０００１】本発明は、自動二輪車のガソリンタンク等にグローブなどの荷物を素早く容易に固定する事を目的としたものである。
【背景技術】
【０００２】従来、グローブなどの荷物を固定する用具は、身体や衣服に取り付けるものがあった。（特許文献１）
また、自動二輪車車載用バッグ及びウエストバッグの付属機能として、ゴムコードより固定するものが一般的に知られている。
【先行技術文献】
【０００３】
【特許文献１】特開２００３−３２８２１８
【発明の開示】
【発明が解決しようとする課題】
【０００４】自動二輪車の多くは一時的に荷物を置いておく所が無いため、給油時やヘルメットの着脱時、有料道路の料金所での料金支払い時など、一時的にグローブなどを取り外した際に置いておく場所に困るという難点があった。
それらを解消する、従来の固定用具には次のような欠点があった。
（イ）、身体や衣服に固定する場合、有料道路の料金所等で素早く料金を払うには不便であったし、邪魔になってしまった。
（ロ）、車載用バッグなどのバッグ付属機能の場合、そのバッグを使用しない場合にはグローブなどの荷物置き場に困るという難点は解消できない。
本発明は、この課題を解消するためのものである。
【課題を解決するための手段】
【０００５】ガソリンタンクなどにゴムコード１を這わせる事により、ゴムコード１の収縮を利用し荷物を挟み込むように固定できるようにした。ゴムコード１は、両端に吸盤５又は磁石６を付けたフラップ２によってガソリンタンクなどに固定するようにした。また、這わせたゴムコード１を持ち上げやすいように、ゴムコード１の中間に引き手４を設けた。
【発明の効果】
【０００６】自動二輪車ユーザーの給油時やヘルメットの着脱時、有料道路の料金所での料金支払い時など、一時的にグローブなどを取り外した際、そのグローブなどを素早く容易に固定しておける。本品は、簡素な構造のため、比較的目立たず、運転の邪魔にならないばかりか、外観を損ねることなく装着できる。
【図面の簡単な説明】
【０００７】
【図１】本発明品の正面図である。
【図２】本発明品の吸盤５を使ったフラップ２の断面図である。
【図３】本発明品の磁石６を使ったフラップ２の断面図である。
【符号の説明】
【０００８】１  ゴムコード
２  フラップ
３  コードアジャスター
４  引き手
５  吸盤
６  磁石
【図１】
2011235867.tif 000003
【図２】
2011235867.tif 000004
【図３】
2011235867.tif 000005
(57)【要約】      （修正有）【課題】海水の淡水化にかかるものであり、極めて、純度の高い淡水が得られるとともに、低コストで、大容量の海水の淡水化が可能な技術を提供する。【解決手段】海水中の塩分分離菌を、爆気と沈殿を繰り返すことにより、爆発的に増殖させ、その力を利用して海水の淡水化を行う。【選択図】図−１
2011235277.tif 000002
【特許請求の範囲】
海水中の塩分分離菌を増殖させ、この力を活用して、海水の淡水化をはかる方法
【発明の詳細な説明】
【背景技術】  従来から、逆浸透幕法やフラッシュ蒸留法などが用いられている。
これらの方法によれば、極めて純度の高い淡水が得られる半面、コストが高く、必然的に取扱量が少なくなる、という欠点がある。
【発明の開示】
【発明が解決しようとする課題】  従来の方法によれば、極めて、純度の高い淡水が得られる反面、コストが高く、取扱量が少量に限られるという短所がある。
【発明が解決しようとする課題】  この発明は、従来の海水淡水化法とは全く発想を異にし、大容量の海水を、安く、淡水化することを課題とする。
【課題を解決するための手段】    この課題を解決するための、この発明は図−１フロ−シ−トに示すように、爆気と沈殿を繰り返すことにより、、海水中の塩分分離菌を爆発的に増殖させ、、その力で、効果的に淡水化を果たそうとするものである。塩分分離菌の採取は、例えば、かつて、瀬戸内地方で広く行われた流下式塩田の流下版上の粘土層の表面や、、干潮時に干潟に取り残された粘土の表面からの確保などにより可能である。
【発明の効果】    本発明により、従来の方法に比べて、安く、大量に、海水の淡水化を図ることができる。なお、淡水の利用目的によっては、、この方法と他の処理方法を組み合わせることにより、所要の目的を達することができることは、言うまでもない。
【図−１】
2011235277.tif 000003
【手続補正書】
【提出日】平成22年7月7日(2010.7.7)
【手続補正２】
【補正対象書類名】明細書
【補正対象項目名】全文
【補正方法】変更
【補正の内容】
【発明の詳細な説明】
【背景技術】
【０００１】      従来から逆浸透膜法やフラッシュ蒸留法などが用いられている。これらの方法によれば極めて純度のい高い淡水が得られる半面、コストが高く、取扱量が少量に限られるという欠点がある。
【発明の開示】
【発明が解決しようとする課題】
【０００２】    本発明は、従来の海水淡水化法とは全く発想を異にし、大容量の海水を安く淡水化することを課題とする。
【課題を解決するための手段】
【０００３】  この問題を解決するための、この発明は、図−１フロ−シ−トに示すように爆気と沈殿を繰り返すことにより、海中の塩分分離菌を爆発的に増殖させ、、その力で効果的に淡水化を果たそうとするものである。塩分分離菌の採取は、たとえば、かつて瀬戸内地方で広くおこなわれた流下式塩田の流下板上の粘土層の表面や干潮時に干潟に取り残された粘土の表面からの確保などにより可能である。
【発明の効果】
【０００４】本発明により、従来の方法に比べて、安く、大量に、海水の淡水化を図ることができる。なお、淡水の利用目的によっては、この方法と他の処理方法を組み合わせることにより、所要の目的を達することができることは、言うまでもない
【図面の簡単な説明】
【０００５】
【図−１】フロ−シ−ト
(57)【要約】【課題】家庭で発生する使用済みのアルミ缶やペットボトルの廃棄前に実施する洗浄に対し、手を濡らさずに素早く洗浄を可能とした飲料容器洗浄器具を提供する。【解決手段】  脱着可能な底板を具備する内部が空洞のドーム型で柔軟に弾性変形する樹脂からなる貯水タンクにおいて、注水が容易な注水受口と、注水受口の下部に逆止弁と、貯水タンク中央の上部に突起物を有したノズルとノズル周囲が五徳状の突起物を配置したことを特徴とした飲料容器洗浄器具。【選択図】  図１
2011235223.tif 000002
【特許請求の範囲】
【請求項１】
脱着可能な底板を具備する内部が空洞のドーム型で柔軟に弾性変形する樹脂からなる貯水タンクにおいて、注水が容易な注水受口と、注水受口の下部に逆止弁と、貯水タンク中央の上部に突起物を持ったノズルとノズルの周囲に五徳状の突起物を取り付けた事を特徴とする飲料容器洗浄器具。
【請求項２】
請求項１において、
注水受口が貯水タンクの中央上部に位置し、底板の中央から注水受口の開口部の中央を貫通しノズル上端から十分に突き出る細い棒状のノズルガイドと、フロートは三角錐の頂点が上向きでその底辺が注水受口の開口部より大きくその中心にはノズルガイドとの隙間に水の移動を十分に許しかつフロート自由な上下動を許すの内径を持つ垂直に貫通したノズル穴があって、ノズル穴はノズルガイドに挿入してあり、フロートは注水受口の穴を塞ぐ逆止弁として働くと共にノズル穴から水が噴出する事を特徴とする飲料容器洗浄器具。
【発明の詳細な説明】
【技術分野】
【０００１】
本発明は、飲料容器洗浄器具に関する。
【背景技術】
【０００２】
家庭で廃棄する使用済みのアルミ缶やペットボトルなどはリサイクル、害虫対策、悪臭などの環境面等により洗浄する必要がある。
【発明の概要】
【発明が解決しようとする課題】
【０００３】
家庭内などで使用済みのアルミ缶やペットボトルの洗浄において、飲料容器は飲み口が小さいため洗浄の際の水道水の多くは無駄にこぼれたり飛び散ったりして、廃棄する容器としては無駄が多く面倒な作業であった。
【課題を解決するための手段】
【０００４】
上記問題を解決するため、請求項１に係る発明は、脱着可能な底板を具備する内部が空洞のドーム型で柔軟に弾性変形する樹脂からなる貯水タンクにおいて、注水が容易な注水受口と、注水受口の下部に逆止弁と、貯水タンク中央の上部に突起物を持ったノズルとノズルの周囲に五徳状の突起物を取り付けた事を特徴とする飲料容器洗浄器具である。
このように本発明では、水道の蛇口などから容易に注水ができ、洗浄する容器の飲み口を下にしてノズルの突起物に当て、そのまま手の力で押下げる事によって貯水タンクが変形すると共に逆止弁が注水受口の開口部を塞ぐ事で内部に圧力が発生し、その圧力によりノズルから容器内へ水が無駄なく噴出し、容器内を洗浄すると同時に五徳状の突起物の隙間から洗浄中の排水が流出する事を特徴としてる。
【０００５】
請求項２に係る発明は請求項１において、注水受口が貯水タンクの中央上部に位置し、底板の中央から注水受口の開口部の中央を貫通しノズル上端から十分に突き出る細い棒状のノズルガイドと、フロートは三角錐の頂点が上向きでその底辺が注水受口の開口部より大きくその中心にはノズルガイドとの隙間に水の移動を十分に許しかつフロート自由な上下動を許すの内径を持つ垂直に貫通したノズル穴があって、ノズル穴はノズルガイドに挿入してあり、フロートは注水受口の穴を塞ぐ逆止弁として働くと共にノズル穴から水が噴出する事を特徴とする飲料容器洗浄器具である。
このように、逆止弁の機能をもったフロートがノズルの機能を兼ね備える事で、構造が簡素化される事を特徴としている。
【発明の効果】
【０００６】
以上の構成によれば、
容器の洗浄を開始する時は流しの蛇口などの下に該洗浄器具を置いて注水し、洗浄する容器の飲み口を下にして、ノズルにある突起物を頼りに押下げるだけで、容器内の洗浄と排水が同時に行われので、無駄な水を使わず、かつ手を濡らさずに手早く洗浄が出来る。また底板が容易に取り外せるので内部の洗浄が簡単で清潔な状態を保てる。
【図面の簡単な説明】
【０００７】
【図１】この発明にかかる飲料容器洗浄器具における断面図である。
【図２】この発明にかかる飲料容器洗浄器具における斜図である。
【発明を実施するための形態】
【０００８】
以下、実施の形態について図面を参照して実施形態を説明する。
【実施例１】
【０００９】
図１および図２による該発明の飲料容器洗浄器具は、脱着可能な底板２を具備する内部が空洞のドーム型で柔軟に弾性変形する樹脂からなる貯水タンク１があり、貯水タンク１の上部中央部には、水を注ぐための開口部を持ちかつ開口部の周囲がすり鉢状に陥没した形状の注水受口５がある。
【００１０】
注水受口５は、すり鉢状の周囲に五徳状の突起物である排水突起６が配置してある。排水突起６は、ペットボトルの様な小さく細長い飲み口でも受け止める様に配置し、貯水タンク１の上端面よりも高く突き出している。
【００１１】
底板２には中央で垂直に固定され貯水タンク１の上端に位置する注水受口５の開口部中心を貫通しノズル３から突き出る細長い棒状のノズルガイド７があって、
【００１２】
ノズルガイド７には
その底辺が注水受口５の開口部よりも大きく頂点を上向きにした三角錐のフロート４があり、フロート４の中心に貫通するノズル３の穴を使ってノズルガイド７に挿入してあり、ノズル３の穴はノズルガイド７との隙間に水の移動を十分に許す穴の径を持ち、かつフロート４の自由な上下動を許している。
【００１３】
この構造によって流しの蛇口などから注水受口５に注水し水を蓄えた貯水タンク１は、
洗浄する容器の飲み口をノズル３から突き出したノズルガイド７の先端に差し込む様に置き、かつ上部から押下げると貯水タンク１が変形し、水に浮かぶフロート４が注水受口５の開口部を塞ぐ事で貯水タンク１の内部の圧力が高まり、フロート４の先端にあるノズル３から貯水タンク１内の水が洗浄容器内へ噴出し容器内部を洗浄する。
この時、洗浄中の排水は排水突起６が作る隙間を使って流出するので、洗浄と排水が同時に進行する事を特徴とした飲料容器洗浄器具である。
【符号の説明】
【００１４】
１    貯水タンク
２    底板
３    ノズル
４    フロート
５    注水受口
６    排水突起
７    ノズルガイド
【図１】
2011235223.tif 000003
【図２】
2011235223.tif 000004
(57)【要約】      （修正有）【課題】チューブ製品の内容物を最後まで使い切ることができ、広い置き場所を不要とし、内容物が少なくなっても自立可能にするチューブ容器を提供する。【解決手段】チューブ１の両端の内容物が出るノズル３と接続する部分以外は、潰して圧着（接着）する構造２とし、ノズル３及び内容物が出るノズル口は楕円形、長方形とする。従来品と比較し内容量を少なくしないために、チューブ１は数か所の補強リングカバー６を設けた構造とし、補強リングカバー６の中にはチューブ１の円形を維持するために、取り外し式のプラスティック製等の補強リング７を挿入する。補強リング７はきれいな円形を維持するために、チューブ１の円周長さより長く一部二重になる長さとする。補強リング７は、チューブ使用中の内容量により順次取り外し、最後は全て取り外す。自立可能にするためにスタンド８を設ける。【選択図】図１
2011235958.tif 000002
【特許請求の範囲】
【請求項１】
チューブの両端の内容物が出るノズルと接続する部分以外は、潰して圧着する構造とし、内容物が出るノズル及びノズル口は楕円形、長方形としたｅｃｏチューブ。
【請求項２】
チューブに取り外し式の補強リングを取り付けた請求項１のｅｃｏチューブ。
【請求項３】
自立可能にするためにスタンドを取り付けた請求項１または請求項２のｅｃｏチューブ。
【発明の詳細な説明】
【技術分野】
【０００１】  本発明は、歯磨き粉、洗顔クリーム、ハンドクリームなどを内容するチューブ容器に関するものである。
【背景技術】
【０００２】  従来のチューブ製品は、絞り出せるまで絞り出し、絞り出せなくなったら捨てていた。
なお、チューブに楕円形及び直方形のチューブの口を装着した「橢円形チューブ口」がある。（特許文献１参照）
また、用途は異なるが同様の読みで「エコチューブ」、「ＥＣＯ  ＴＵＢＥ」、「ＥＣＯ−ＴＵＢＥ」、「ｅｃｏ−ＴＵＢＥ」などがある。（特許文献２，３，４，５参照）
【先行技術文献】
【特許文献】
【０００３】
【特許文献１】  実用新案公開平５−９２１６１
【特許文献２】  登録４２９５８８５
【特許文献３】  登録４５０５７８５
【特許文献４】  登録４８８１２７４
【特許文献５】  商標出願２００９−０６３３８１
【発明の概要】
【発明が解決しようとする課題】
【０００４】  チューブ製品の内容物を最後まで残らず使用することは不可能で、内容物が大分残ったまま、絞り出すことができなくなり捨てていた。
また、内容物が少量になると自立できなくなる型式のものもあり、広い置き場所を必要としていた。
本発明は、以上の問題点を解決するためになされたものである。
【課題を解決するための手段】
【０００５】  内容物を最後まで使い切ることができるよう、チューブの両端の内容物が出るノズルと接続する部分以外は、潰して圧着（接着）する構造とし、ノズル及び内容物が出るノズル口は楕円形、長方形とする。従来品と比較し内容量を少なくしないために、チューブは数か所の補強リングカバーを設けた構造とし、補強リングカバーの中にはチューブの円形を維持するために、取り外し式のプラスティック製等の補強リングを挿入する。補強リングはきれいな円形を維持するために、チューブの円周長さより長く一部二重になる長さとする。補強リングは、チューブ使用中の内容量により順次取り外し、最後は全て取り外す。広い置き場所を不要とし、内容物が少なくなっても自立可能にするためにスタンドを設ける。
以上の構成よりなるｅｃｏチューブ。
【発明の効果】
【０００６】  従来は内容物が大分残ったまま捨てていたチューブ製品を本発明により内容物をできるだけ残り少なく使い切ることが可能となる。また、内容物が少なくなっても自立可能となるため、広い置き場所を不要とすることができる。
本発明は、歯磨き粉、洗顔クリーム、ハンドクリームなどだけでなく、工業用製品、医薬用製品、食料用製品などのチューブを使用した製品全般にも適用できる。
【図面の簡単な説明】
【０００７】
【図１】本発明の斜視図
【図２】本発明を正面から見た図
【図３】本発明を横から見た図
【図４】本発明を下から見た図
【図５】本製品を正面から見てキャップを開けた図
【図６】本製品を下から見てキャップを開けた図
【図７】本発明の補強リング及び補強リングカバーの補強リング引き抜き時の斜視図
【図８】本発明の補強リング及び補強リングカバーの一重部の縦断面図
【図９】本発明の補強リング及び補強リングカバーの二重部の縦断面図
【図１０】本発明の補強リング及び補強リングカバーの横断面図
【図１１】本製品の使用中（使い始め）の図
【図１２】本製品の使用中（使い途中）の図
【図１３】本製品の使用中（使い終わり）の図
【発明を実施するための形態】
【０００８】  以下、本発明の実施の形態を説明する。
（イ）チューブ（１）の上下両端の内容物が出るノズルと接続する部分以外を潰して圧着（接着）する構造（２）とする。
（ロ）ノズル（３）、キャップ（４）、ノズル口（５）を楕円形、長方形とする。
（ハ）チューブ（１）に補強リングカバー（６）を数か所設け、補強リングカバー（６）の中に取り外し式のプラスティック製等の補強リング（７）を挿入する。
（ニ）補強リング（７）は、チューブ（１）の円周長さより長く一部二重になる長さとする。
（ホ）チューブ（１）が自立できるようスタンド（８）を設ける。
本発明は以上の構造である。
本発明を使用するときは、内容物が少なくなってきたら、上段から順次補強リング（７）を引き抜いて取り外す。
更に内容物が少なくなってきたら、全ての補強リング（７）を引き抜いて取り外す。
【符号の説明】
【０００９】（１）チューブ、（２）圧着（接着）構造、（３）ノズル、（４）キャップ、（５）ノズル口、（６）補強リングカバー、（７）補強リング、（８）スタンド
【図１】
2011235958.tif 000003
【図２】
2011235958.tif 000004
【図３】
2011235958.tif 000005
【図４】
2011235958.tif 000006
【図５】
2011235958.tif 000007
【図６】
2011235958.tif 000008
【図７】
2011235958.tif 000009
【図８】
2011235958.tif 000010
【図９】
2011235958.tif 000011
【図１０】
2011235958.tif 000012
【図１１】
2011235958.tif 000013
【図１２】
2011235958.tif 000014
【図１３】
2011235958.tif 000015
(57)【要約】【課題】  汚れ具合の異なるものを洗う際、洗剤の量で加減すると、洗剤の使いすぎに陥りやすく、環境にも良くない。  本発明は、乱雑にならずに、異なる濃度の洗剤を使い分けることのできるディスペンサーを提供する。【解決手段】  複数のボトルの各々に、洗剤の希釈の目安になる目盛りをつけた希釈用連結ディスペンサー。【選択図】図１
2011235959.tif 000002
【特許請求の範囲】
【請求項１】
複数のボトルのそれぞれに、内容物の希釈の目安になる目盛りを記した希釈用連結ディスペンサー。
【発明の詳細な説明】
【技術分野】
【０００１】  本発明は、台所用洗剤などの濃度調節ができる連結ディスペンサーに関するものである。
【背景技術】
【０００２】  従来、食器や調理器具を洗う際、汚れの度合いに合わせて、勘で洗剤原液の量を加減してスポンジに取って洗っていた。
【発明の概要】
【発明が解決しようとする課題】
【０００３】  これは、次のような欠点があった。
汚れの軽いコップなどには、少しの洗剤原液を、油汚れのフライパンには、より多くの洗剤原液を、勘でスポンジに直接とるので、適切な洗剤量を計量することは難しく、いくら汚れに合わせて量を加減しても、洗剤の使いすぎに陥ってしまうことが多い。
異なる濃度に希釈した洗剤のボトルをいくつか用意して、汚れ具合により使い分ければ、洗剤の使いすぎを防ぐことができるが、狭い流し台の上にボトルを何本も置くのは乱雑であるし、一本のボトルに手を伸ばして、ほかのボトルを倒してしまったりする。
本発明は、以上のような欠点をなくすためになされたものである。
【課題を解決するための手段】
【０００４】  三つのディスペンサーを連結させて、全体を一体化し、それぞれのボトルに、洗剤を希釈する際の目安になる目盛りを記す。
本発明は、以上の構成よりなるディスペンサーである。
【発明の効果】
【０００５】  従来、洗剤の量を加減することで汚れに対応していたが、これは洗剤の使い過ぎを招きやすかった。
本発明により、汚れ具合にあった濃度の洗剤を、選択して用いることができる。ボトル同士が連結しているため、置いても乱雑にならず、使用時に、意図しないボトルを誤って倒してしまうこともない。
また、適切な濃度の洗剤を使用することは、洗剤の節約につながり、環境破壊を防ぐ効果も大きい。
【図面の簡単な説明】
【０００６】
【図１】本発明の斜視図
【図２】本発明の使用状態を示す正面図
【発明を実施するための形態】
【０００７】    ディスペンサー（１）三つを連結（２）し、全体としてひとつの安定した形状になるようにする。ボトルの前面に、洗剤の希釈の目安になる目盛りを記す。
目盛りは、原液を意味する１００％や、５０％、２５％と言った大きい目盛り（３）の他、より自由に希釈できるように、細かい目盛り（４）も記しておく。
本発明は、以上のような構造である。
これを使用するときは、それぞれの目盛り（３）（４）のところまで洗剤の原液（５）を入れ、水（６）を満タンライン（７）まで入れて全体を軽く振り、洗剤を薄める。
洗う物の汚れ具合にあわせて、三つの濃度の洗剤を使い分ける。
【符号の説明】
【０００８】    １  個々のディスペンサー
２  連結部
３  大きい目盛り
４  細かい目盛り
５  原液
６  水
７  満タンライン
【図１】
2011235959.tif 000003
【図２】
2011235959.tif 000004
(57)【要約】【課題】掲示物を壁、もしくはボードに掲示しようとする際に、従来の画鋲であれば掲示物に針を刺して穴を開けて掲示するので掲示物を傷つける方法だった。掲示物を外すときも、一度、画鋲を抜き取って掲示物を取り外していた。本発明は、掲示物を傷つけず掲示し、掲示物を取るときも画鋲を抜かずに掲示物を取るＳ字クリップ画鋲を提供する。【解決手段】画鋲の持ち手（１）と針（２）の境目に滑りにくい表皮（３）で覆いＳ字クリップ（４）を設けたことを特徴とする。【選択図】図２
2011235619.tif 000002
【特許請求の範囲】
【請求項１】
画鋲の持ち手（１）と針（２）との境目に滑りにくい表皮（３）で覆ったＳ字クリップを設けたことを特徴とするＳ字クリップ画鋲。
【発明の詳細な説明】
【技術分野】
【０００１】本発明は、壁やボードに差すＳ字のクリップがついたＳ字クリップ画鋲に関するものである。
【技術背景】
【０００２】従来の画鋲は、画鋲の針に掲示物を貫通させて壁、ボード等に、貼り付けていた。
なお、掲示物を傷つけない方法として画鋲にコーナー留め具を貫通装着した画鋲が知られている。（特許文献１参照）
【先行技術文献】
【０００３】
【特許文献１】  特開２０００−２３８４９６号公報
【発明の概要】
【発明が解決しようとする課題】
【０００４】  そのため次のような問題点があった。
（イ）掲示物を壁、もしくはボードに掲示しようとする際に、従来の画鋲であれば掲示物に針をさして穴を開けて掲示するので掲示物を傷つける方法だった。
（ロ）掲示物を外すときも、一度、画鋲を抜き取って掲示物を取り外していた。
本発明は、以上の問題点を解決するためになされたものである。
【課題を解決するための手段】
【０００５】持ち手（１）と針（２）との境目に滑りにくい表皮（３）で覆ったＳ字クリップ（４）を設ける。
以上の構成よりなるＳ字クリップ画鋲。
【発明の効果】
【０００６】従来のように掲示物に穴を開けず傷つけずに掲示でき、掲示物を外すときも片手で引き抜くように簡単に取り外すことができる。
また、本発明を使えば一つの画鋲に多数の紙をはさむことも可能である。
【図面の簡単な説明】
【０００７】
【図１】本発明の使用状態を示す斜視図である。
【図２】本発明の使用状態を示す断面図である。
【発明を実施するための最良の形態】
【０００８】  以下、本発明の実施の形態を説明する。
（イ）画鋲本体、  持ち手  （１）  に針  （２）  を設ける。
（ロ）クリップ、  持ち手  （１）と、針  （２）の境目に、滑りにくい表皮  （３）で覆った  Ｓ字クリップ  （４）を設ける。
本発明は以上のような構造である。
本発明を使用するときは、針（２）を壁、あるいはボードに刺せばＳ字クリップ（３）（４）が掲示物に密着する。
したがって掲示物がＳ字クリップ（３）（４）Ｓの下部と壁に挟まるようになり掲示物がずり落ちることはない。
掲示物を外すときも画鋲を壁から抜かず掲示物を引き抜くようにすれば取れる。
そしてまた、掲示物を貼るときも画鋲を抜かずに滑りにくい表皮（３）Ｓ字クリップ（４）の下部から掲示物を差し込むことが可能である。
もしくは掲示物を持つ反対の手でＳ字クリップ（４）を手前に浮かせて掲示物をその隙間に差し込み手を離して元に戻しその掲示物を挟むことも可能である。
【符号の説明】
【０００９】  １  持ち手、
２  針、
３  滑りにくい表皮、
４  Ｓ字クリップ、
【図１】
2011235619.tif 000003
【図２】
2011235619.tif 000004
(57)【要約】      （修正有）【課題】大事な事柄やアイデアなどをメモする需要はいたるところで見かけるが、ひらめいた時や考えた時に限って、メモ用紙が無い時があり、そんな時手首に取り付けるメモ用具を提供する。【解決手段】本体５の中に、メモ部分３を設け使用する時だけ引き出しメモを書き、筆記用具４は本体に設け、メモ用具と筆記用具が、別々に携帯する事の無い手首に取り付けるメモ用具。【選択図】図１
2011235620.tif 000002
【特許請求の範囲】
【請求項１】
本体の中に、メモ部分を設け使用する時だけ引き出しメモを書き、筆記用具は本体に設け、メモ用具と筆記用具が、別々に携帯する事の無い、手首に取り付けるメモ用具。
【発明の詳細な説明】
【技術分野】
【０００１】  本発明は、思いついたアイデアや、感動的な言葉など忘れない内に書き入れる、手に取り付けるメモ用具に関するものである。
【背景技術】
【０００２】  従来、メモ用具に関するものは、携帯する為ポケットに入れて必要な時取り出し書く物でしたが、メモ用具の出し入れの時間やポケットの無い服などでは携帯できないでいた。この発明の手首に取り付けるメモ用具は、本体に筆記用具とメモ用具が設けてあるので、片手で書く事が出来るうえ、時間の節約と携帯に便利である。（特許文献１）
【発明の開示】
【発明が解決する課題】
【０００３】従来、次のような問題点があった。
（イ）メモ用具を、胸ポケットなどに、携帯しなければならなかった。
（ロ）片手だけで、メモを書き出せなかった。
【課題を解決するための手段】
【０００４】  手首に取り付けるメモ用具は、腕時計のように手首に装着する事で、片手でメモ部分と筆記用具が、取り出す事ができる。筆記用具はメモ用具部分に設けているものである。
以上を特徴とする手首に取り付けるメモ用具である。
【発明の効果】
【０００５】  本発明は、従来のメモ用紙を服のポケットなどに収納する事ではなく、腕時計のように、手首に装着するものである。
基本的に右利きの方は、左手手首に取り付ける事により、右手だけでメモが出来る。
尚且つメモ部分が、使用する時だけ手の甲に引き出せるので、邪魔にならない。
本発明は、以上の構成である。
【発明を実施するための最良の形態】
【０００６】以下、本発明の実施の形態を説明する。
（イ）本体（５）に腕リング（１）を設ける。
（ロ）本体（５）には筆記用具（４）が設けられている。
（ハ）本体（５）にメモ部分（３）が収納されていて先端に、ツマミ（２）が設けている。
本発明は、以上の構成になっている。
本発明を使用する時は、本体（５）腕リング（１）を利き手以外の手首に装着する。
ツマミ（２）を引き出す事によりメモ部分（３）が開口部（６）から現れる、手の甲に現れたメモ部分（３）の連結されているツマミ部分（２）を手の指と指の間に挟む事によりメモ部分（３）が、固定される。
そのメモ部分（３）に筆記用具（４）を引き出してメモを書く。
書き終えたら、ツマミ部分（２）を指と指の間から離すことで本体（５）にメモ部分（３）が本体（５）に開口部（６）を通り収納される。筆記用具（４）は元の位置に収納する。
【図面の簡単な説明】
【０００７】
【図１】本発明の斜視図
【図２】本発明の分解斜視図
【図３】本発明の使用状態を示す斜視図
【符号の説明】
【０００８】１  腕リング
２  ツマミ
３  メモ部分
４  筆記用具
５  本体
６  開口部
【図１】
2011235620.tif 000003
【図２】
2011235620.tif 000004
【図３】
2011235620.tif 000005
(57)【要約】      （修正有）【課題】ダンボール印刷用印版は、コスト削減、資源の有効利用によるＣＯ２削減、作業労力の軽減、印刷精度の向上等の目的で、薄版化も図られているが、従来版や印刷内容により、現状では厚版も多く存在している。厚版と薄版の混在使用ができるクッションシートを提供する。【解決手段】クッションシートＡの片側全面に接着テープを施し、その接着テープ部まで貫いた小径の穴Ｉを多数個設ける工夫を加える事で、薄版仕様の必要な部分にのみ、クッションシートＡを切断して整版フイルムＣ裏面に貼り付け厚版仕様と同じ厚みにして、薄版と厚版との混在使用を簡素化するものである。更にクッションシートＡの材質機能を印刷内容に合わせ、部分別に微妙に変化させて貼り付ける事で、印刷再現性を革命的に向上させる事が可能となる整版システムである。【選択図】図２
2011235621.tif 000002
【特許請求の範囲】
【請求項１】
整版フイルム裏面に装着する衝撃吸収と嵩上げ目的のクッションシートの片側全面に接着テープを施し、その接着テープまで貫通した小径の穴を全面に渡り多数個施したことを特徴とする印刷用クッション材。
【請求項２】
印版の貼られた整版フイルム裏面に、印刷内容に応じて部分別に、クッションシートの厚みと硬度を変化させ調整装着する事を可能とした整版システム。
【発明の詳細な説明】
【技術分野】
【０００１】  本発明は、ダンボール等印刷用印版に関するものであり、印刷時に装着する衝撃吸収と嵩上げ用クッションシートに工夫を加える事により、資源の有効利用とコストの削減、及び作業効率と印刷精度の向上をもたらすものである。
【背景技術】
【０００２】  従来から、ダンボール印刷用の印版は、一般的にその印刷特性から弾性を備えた厚みが７ミリ位の印版を用いるが、細字印刷等の場合、厚みが３ミリ位の薄手の印版を使用する事が有る、この場合、弾性が必要になる為、整版フイルムの裏面に衝撃吸収と嵩上げ用のクッションシートを印刷機の版胴全面に巻き付けたり、整版フイルムの裏側全面に装着したりして印刷精度を、保とうとしている。（図１参照）
【発明の開示】
【発明が解決しようとする課題】
【０００３】  しかし、同じ印刷機でベタ印刷が多い場合の厚版仕様と細字やバーコード印刷の多い薄版仕様の混在使用の際、印刷機の版胴に装着したクッションシートをその都度、脱着しなければならない。
又、其々の整版フイルム裏側全面にクッションシートを装着した場合、費用の負担が掛り、印版の厚版と薄版の使用区分は、印刷再現性の向上策として、認識されてはいるものの、負担の増加と印刷の適正化が印刷現場に同居している状態である。
【課題を解決するための手段】
【０００４】  この課題を解決する為、請求項１の発明は、クッションシートの片側全面に接着テープを施し、その接着テープ部まで貫いた小径の穴を多数個設ける工夫により、印版部の背面に当たる整版フイルム裏面の部分的に、クッションシートを切断して貼り付ける事が可能となり無駄なクッションシートの使用が無くなる。
又、クッションシートに設けられた小径の多数個の穴は、円筒状の版胴に巻かれた際、クッションシート内側に発生する内径の縮みによるしわと発泡体の密度変化による硬度変化を吸収することになり、印版にかかる厚みと硬度の精度が保たれる。
更に、クッションシートを整版フイルム裏面に貼り付ける際、接着面の隙間に空気を閉じ込める可能性を多数個の穴が空気抜きとなり、厚み精度が保持出来る事となる。（図２参照）【０００５】  請求項２の発明は、整版フイルム裏面の部分別にクッションシートの装着が可能になることにより、印刷再現の内容別にそのクッションシートのもつ機能の、厚さや硬度を微妙に変化させて装着する事が可能となり、印刷の美粧化を飛躍的に前進させる整版システムである。
【発明の効果】
【０００６】  本発明により、
１．薄版化が促進され、資源の有効利用と、コスト削減となる。
２．厚版と薄版の混在使用が簡素化され印刷作業の効率化となる。
３．印刷再現性が向上し、従来困難とされているグラデーションの最小限界点印刷の可能性も高まり、ダンボール印刷の美粧化が推進される。
４．製版時に印刷の内容別に行う材質変更や露光時間の調整等、個別の作業が省かれ、製版作業の効率化が図れる。
【発明を実施するための最良の形態】
【０００７】  図２（１）は、薄版が厚版と同じ厚みに保持されかつ、反発復元性を備えた嵩上げクッションシートで片側全面に接着テープを施し、その接着テープまで貫通した小径の穴を多数個施した単泡体の軽量発泡シート。
材質は反発復元性の高いポリエチレン製が望ましい。【０００８】  図２（２）は、整版フイルムの裏面に印刷内容に応じて、クッションシートを装着した図でありクッションシートの厚みと硬度を微妙に変化させる事が可能となる整版システムである。
例えば、細字やバーコード、網点等の場合、少し柔らかく薄めのクッションシートを装着し、逆にベタ印刷の場合は、少し硬く厚めのクッションシートを装着する事により、印版の材質硬度や製版方法を変える事無く容易に印刷の美粧化が図れる。
【産業上の利用可能性】
【０００９】  本発明に係るクッションシートは、簡易な方法で工業的に量産する事が可能である又、作業負担をかけない整版システムであり、革命的に印刷精度の向上、資源の節約、コストの削減及び作業労力の軽減となり、産業上の利用可能性は地球環境の見地からも、極めて大きい。
【図面の簡単な説明】
【００１０】
【図１】（１）薄版の使用時、版胴全面にクッションシートを磁石等で固定して印刷する従来からの方法である。（２）薄版の使用時、整版フイルムの裏側に部分止めして、全面にクッションシートを装着して印刷する従来からの方法である。
【図２】（１）本発明のクッションシートの仕様図である。（２）本発明の部分ごとにクッションシートを装着した整版システムの図である。
【符号の説明】
【００１１】  Ａ．クッションシート
Ｂ．薄版
Ｃ．整版フイルム
Ｄ．版胴
Ｅ．磁石等固定具
Ｆ．整版フイルム止め溝
Ｇ．整版フイルム止め棒
Ｈ．接着テープ
Ｉ．穴
【図１】
2011235621.tif 000003
【図２】
2011235621.tif 000004
(57)【要約】      （修正有）【課題】濾過面に、前段階濾過面を形成し、切削油、あらい油を本濾過することができる濾過機を提供する。【解決手段】チェック弁から濾液が入り、濾過の上部の部屋１から濾過面３を通過するときスラッジと分離する。スラッジを濾過面３上に残し、濾過液は濾過の下部の部屋に入り、タンク４、パイプ５にて揚程を得ながら本濾過機より排出する。濾過上部の部屋が、スラッジで目づまりしたときに、濾過機上部の部屋の圧力が上昇し、プレッシャースイッチなどと連けいし、ポンプ停止し、エアー取入れ口よりコンプレッサエアーを導入し、濾過面３をかんそうさせ、濾過面３を駆動チェンにより外部へ移動し、スラッジを排出し、濾過面上部部屋を下げ、充分密閉し、濾過面形成、本濾過へとくり返してゆく。プレコートタンク、六方弁、桔そう土フィーダー、タンクなどと共に用いることができる濾過機。【選択図】図１
2011235433.tif 000002
【特許請求の範囲】
【発明の詳細な説明】
【技術分野】工作機械の切削油を濾過する分野に関する
【背景技術】工作の仕上がりを、より向上させるため．
【先行技術文献】
昭和５４年出願に準ずる．
【発明の概要】
【発明が解決しようとする課題】  マグネットにかかると、あとにと石が残留するなどの現状を打破する。
【課題を解決するための手段】  ティーバッグのように、こし取り、自動化したもの。
【発明の効果】  工作機械の切削油を使いやすくできれば、工作の仕上りに反映すること確実。
【図面の簡単な説明】図１〜図５までを用意した。
【図１】は、濾過器室を断面図に表わし、その原理、自動化の内容を示す。
【図２】は、外観図であり、
【図３】は図１の外観図である。
【図４】は上面図であり、駆動部分を省いた図である。
【図５】は、手動式の例で、継手部分の考案図である．
【発明を実施するための形態】
発動する外観は、図２の外観図通りである。
【符号の説明】▲１▼  濾過液の部屋．上部シェル
▲２▼  濾過された液の部屋  下部シェル
▲３▼  ティーバッグのようにこしだす濾過面．
▲４▼  水頭をそろえるヘッダーの外箱．
▲５▼  ヘッダーをそろえる配管．
▲６▼  エアーで加圧時逆流をふせぐチェック弁．
▲７▼  水切りをするエアー取入れ口．
【図１】
2011235433.tif 000003
【図２】
2011235433.tif 000004
【図３】
2011235433.tif 000005
【図４】
2011235433.tif 000006
【図５】
2011235433.tif 000007
【手続補正書】
【提出日】平成22年7月28日(2010.7.28)
【手続補正２】
【補正対象書類名】特許請求の範囲
【補正対象項目名】全文
【補正方法】追加
【補正の内容】
【特許請求の範囲】
【請求項１】
工作機械用、切削油、あらい油に、再利用のための濾過設備がない、工作機械単体、一台用。
一台の工作機械の切削油、洗浄油などを、濾布を通し濾過する、具体的な機械を設けた。図１、▲３▼。
また、特許願  出願番号  ６２−０６８９５８  昭和６２年３月２５日出願の前段階濾過面被覆型メタルパッキングドライケーキフィルターのひとつである。
(57)【要約】【課題】作業時間短縮の観点から、プーリ組立工程を省略するプーリ付軸受ユニットを提供することを目的とする。【解決手段】プーリ付軸受ユニット１において、ハウジング２に設けられたフランジ３には、ワイヤ、またはベルトをはめるための溝８を形成し、プーリ４を構成する。ハウジング１の内径には、中央付近に段差部５を設けている。段差部５の両側には、単列の玉軸受６の外輪が突き当たっている。玉軸受６の内径には、軸（中実）７が挿入されている。【選択図】図１
2011174512.tif 000002
【特許請求の範囲】
【請求項１】
外径に溝が形成されたフランジを設け、かつ、内径に２個の玉軸受の外輪を突き当てることができる段差部を設けたハウジングと、軸を挿入した前記２個の玉軸受とを有するプーリ付軸受ユニット。
【請求項２】
前記軸が中空であることを特徴とする請求項１のプーリ付軸受ユニット。
【発明の詳細な説明】
【技術分野】
【０００１】
本発明は回転運動伝達用プーリ付軸受ユニットに関するものである。
【背景技術】
【０００２】
従来より、ベルト、またはワイヤなどを介して回転運動を伝達する手段としてプーリが使用されている。プーリを回転させる手段として、高速化、及び低トルク化という観点から、玉軸受が使用されている。
製造現場において、作業員がプーリに軸受を組み込んでいる。しかし、組込み作業時間短縮の観点から、製造現場におけるプーリ組立工程を省略したいという課題があった。
【０００３】
上記課題を改善するための先行技術としては、図３（特許文献１）が挙げられる。特許文献１は、プーリ一体型軸受２１に関する発明である。この発明は、予めプーリ２２の内径部に軸受２３を組み込みことにより、製造現場におけるプーリ組立工程を省略することができる。
【先行技術文献】
【特許文献】
【０００４】
【特許文献１】特開２０００−２９１７８６号公報
【発明の概要】
【発明が解決しようとする課題】
【０００５】
しかしながら、この先行技術には、軸受２３内径に軸を挿入する作業が依然として存在する。製造現場において、更なるプーリ組み込み時間短縮の観点から、軸受２３内径に軸を挿入する作業を省略したいという課題があった。
【課題を解決するための手段】
【０００６】
本発明は、上記課題を解決するために、次のような構成を取る。
【０００７】
外径に溝が形成されたフランジを設け、かつ、内径に２個の玉軸受の外輪を突き当てることができる段差部を設けたハウジングと、軸を挿入した前記２個の玉軸受とを有するプーリ付軸受ユニットを特徴とする。さらに、軸は、中空であることも特徴とする。
【発明の効果】
【０００８】
本発明によれば、製造現場で、玉軸受に軸を挿入する必要はないので、作業時間短縮の観点から、製造現場におけるプーリ組立工程が省略できるという効果が有る。
【図面の簡単な説明】
【０００９】
【図１】本発明に係る第１の実施形態である軸が中実であるプーリ付軸受ユニットを示すものである。
【図２】本発明に係る第２の実施形態である軸が中空であるプーリ付軸受ユニットを示すものである。
【図３】従来例を示すものである。
【発明を実施するための形態】
【００１０】
以下、図１に基づき、本発明の第１の実施形態を説明する。
プーリ付軸受ユニット１において、ハウジング２に設けられたフランジ３に、溝８が形成されている。溝８が形成されたフランジ３はプーリ４を構成する。ハウジング１の内径には、中央付近に段差部５を設けている。段差部５の両側には、単列の玉軸受６の外輪が突き当たる。玉軸受６の内径には、軸（中実）７が挿入されている。プーリ４、玉軸受６、軸（中実）７をユニット化したプーリ付軸受ユニット１は、製造現場でプーリを組み立てる工程を省略することができる。
【００１１】
以下、図２に基づき、本発明の第２の実施形態を説明する。
プーリ付軸受ユニット１１において、ハウジング１２に設けられたフランジ１３に、溝１８が形成されている。溝１８が形成されたフランジ１３はプーリ１４を構成する。ハウジング１１の内径には、中央付近に段差部１５を設けている。段差部１５の両側には、単列の玉軸受１６の外輪が突き当たる。玉軸受１６の内径には、軸（中空）１７が挿入されている。プーリ１４、玉軸受１６、軸（中空）１７をユニット化したプーリ付軸受ユニット１１は、本実施形態においても、第１の実施形態と同様の効果が得られる。
【産業上の利用可能性】
【００１２】
本発明はベルト、またはワイヤを介して回転運動を伝達させる機械要素として使用、例えば、ロボットの関節部分用として使用する。
【符号の説明】
【００１３】
１    プーリ付軸受ユニット
２    ハウジング
３    フランジ
４    プーリ
５    段差部
６    玉軸受
７    軸（中実）
８    溝
１１  プーリ付軸受ユニット
１２  ハウジング
１３  フランジ
１４  プーリ
１５  段差部
１６  玉軸受
１７  軸（中空）
１８  溝
２１  プーリ一体型軸受
２２  プーリ
２３  玉軸受
【図１】
2011174512.tif 000003
【図２】
2011174512.tif 000004
【図３】
2011174512.tif 000005